(57)【要約】【課題】  花壇の作成を容易に行うことができるとともに、雑草や芝等の根切り効果を十分得ることができ、雑草や芝等の侵入を効果的に防止することが可能な花壇用エッジ部材、及び、この花壇用エッジ部材を使用した花壇のエッジ部を提供する。【解決手段】  本発明の花壇用エッジ部材は、互いに対向するように配置される一対の平板状部材と、前記埋設方向に沿って一体的に形成され、前記一対の平板状部材の間に形成される空間を、少なくとも一端が開口した複数の領域に区画すると共に、前記一対の平板状部材を互いに連結する複数の連結部材とを備え、前記花壇用エッジ部材を、その開口部において地中に圧入することにより、前記平板状部材と連結部材とによって区画された複数の領域内に土が圧縮されつつ嵌入し、当該圧縮された土及び周囲の土により、前記領域において立設状態で保持されることを特徴とする。【選択図】        図１
2014003916.tif 000002
【特許請求の範囲】
【請求項１】
地中に一部を埋設した状態で立設し、花壇を作成するための領域を区画する花壇用エッジ部材において、
互いに対向するように配置される一対の平板状部材と、
前記埋設方向に沿って一体的に形成され、前記一対の平板状部材の間に形成される空間を、少なくとも一端が開口した複数の領域に区画すると共に、前記一対の平板状部材を互いに連結する複数の連結部材とを備え、
前記花壇用エッジ部材を、その開口部において地中に圧入することにより、前記平板状部材と連結部材とによって区画された複数の領域内に土が圧縮されつつ嵌入し、当該圧縮された土及び周囲の土により、前記領域において立設状態で保持されることを特徴とする花壇用エッジ部材。
【請求項２】
一対の平板状部材の間に形成される空間を、両端が開口した複数の領域に区画すると共に、前記空間の上端に位置する開口部より園芸用薬剤を注入した請求項１に記載の花壇用エッジ部材。
【請求項３】
園芸用薬剤が除草剤である請求項２に記載の花壇用エッジ部材。
【請求項４】
前記花壇用エッジ部材は、合成樹脂による射出成形によって一体的に形成されている請求項１に記載の花壇用エッジ部材。
【請求項５】
地中に一部を埋設した状態で立設した花壇用エッジ部材により領域が区画された花壇のエッジ部において、花壇用エッジ部材が、
互いに対向するように配置される一対の平板状部材と、
前記埋設方向に沿って一体的に形成され、前記一対の平板状部材の間に形成される空間を、少なくとも一端が開口した複数の領域に区画すると共に、前記一対の平板状部材を互いに連結する複数の連結部材とを備え、
前記花壇用エッジ部材を地中に圧入することにより、前記平板状部材と連結部材とによって区画された複数の領域内に土が圧縮されつつ嵌入し、当該圧縮された土及び周囲の土により、花壇用エッジ部材が前記領域において立設状態で保持されていることを特徴とする花壇のエッジ部。
【請求項６】
花壇用エッジ部材が、一対の平板状部材の間に形成される空間を、両端が開口した複数の領域に区画されたものであると共に、前記空間の上端に位置する開口部より園芸用薬剤を注入してなる請求項１に記載の花壇のエッジ部。
【請求項７】
園芸用薬剤が除草剤である請求項６に記載の花壇のエッジ部。
【請求項８】
前記花壇用エッジ部材が、合成樹脂による射出成形によって一体的に形成されているものである請求項５に記載の花壇のエッジ部。
【発明の詳細な説明】
【技術分野】
【０００１】
本発明は、住宅の庭等の所望の場所に花壇を作成するために使用される花壇用エッジ部材、及び、この花壇用エッジ部材を使用した花壇のエッジ部に関するものである。
【背景技術】
【０００２】
従来、上記花壇用エッジ部材としては、例えば、図９に示すように、所定の高さを有する長尺な金属製の波板１０１からなるものや、図１０に示すように、比較的短い幅に設定された平板１０２を互いに連結した状態で地中に打ち込むもの、あるいは図１１に示すように、天然木やコンクリート等を円柱形状等の適宜の形状に形成した部材１０３を複数連設するためのものなど種々のものが市販されている。
【先行技術文献】
【特許文献】
【０００３】
【特許文献１】特開2006-006266号公報
【発明の概要】
【発明が解決しようとする課題】
【０００４】
しかしながら、これら従来の花壇用エッジ部材は、図９に示すように、所定の高さを有する金属製の波板１０１からなるものである場合、金属製の薄い波板１０１を地中に単に打ち込む構成であるため、隣接する領域に生えている雑草や芝等の根を確実に根切りすることが困難であったり、金属製の薄い波板からなるために、地中に打ち込んでも安定に立設状態を維持することが難しく、花壇用エッジ部材で区画した領域が変形し易いという技術的課題を有している。
【０００５】
又、図１０に示すような比較的短い幅に設定された平板１０２を互いに連結した状態で地中に打ち込むものである場合は、地面に打ち込む作業が困難であったり、幅の短い平板１０２を互いに連結した状態で地面に打ち込むものであるため、面積の広い花壇を作成する場合に作業性が悪いといった技術的課題を有している。
【０００６】
更に、図１１に示すような天然木やコンクリート等を円筒形状等に形成した部材１０３を複数連設したものにおいては、埋設作業の作業性が悪いばかりか、雑草や芝等の根切り効果を得ることができないといった技術的課題を有している。
【０００７】
そこで、本発明は、上記従来技術の課題を解決するものであり、花壇の作成を容易に行うことができるとともに、雑草や芝等の根切り効果を十分得ることができ、雑草や芝等の侵入を効果的に防止することが可能な花壇用エッジ部材、及び、この花壇用エッジ部材を使用した花壇のエッジ部を提供することにある。
【課題を解決するための手段】
【０００８】
即ち、本発明は、地中に一部を埋設した状態で立設し、花壇を作成するための領域を区画する花壇用エッジ部材において、
互いに対向するように配置される一対の平板状部材と、
前記埋設方向に沿って一体的に形成され、前記一対の平板状部材の間に形成される空間を、少なくとも一端が開口した複数の領域に区画すると共に、前記一対の平板状部材を互いに連結する複数の連結部材とを備え、
前記花壇用エッジ部材を、その開口部において地中に圧入することにより、前記平板状部材と連結部材とによって区画された複数の領域内に土が圧縮されつつ嵌入し、当該圧縮された土及び周囲の土により、前記領域において立設状態で保持されることを特徴とする花壇用エッジ部材を提供する。
【０００９】
又、本発明は、地中に一部を埋設した状態で立設した花壇用エッジ部材により領域が区画された花壇のエッジ部において、花壇用エッジ部材が、
互いに対向するように配置される一対の平板状部材と、
前記埋設方向に沿って一体的に形成され、前記一対の平板状部材の間に形成される空間を、少なくとも一端が開口した複数の領域に区画すると共に、前記一対の平板状部材を互いに連結する複数の連結部材とを備え、
前記花壇用エッジ部材を地中に圧入することにより、前記平板状部材と連結部材とによって区画された複数の領域内に土が圧縮されつつ嵌入し、当該圧縮された土及び周囲の土により、花壇用エッジ部材が前記領域において立設状態で保持されていることを特徴とする花壇のエッジ部を提供する。
【００１０】
尚、本発明の花壇用エッジ部材又は花壇のエッジ部において、一対の平板状部材の間に形成される空間を、両端が開口した複数の領域に区画すると共に、前記空間の上端に位置する開口部より、除草剤等の園芸用薬剤を注入してもよい。
【００１１】
更に、本発明の花壇用エッジ部材又は花壇のエッジ部において、花壇用エッジ部材は、合成樹脂による射出成形によって一体的に形成されているものであってもよい。
【発明の効果】
【００１２】
本発明によれば、花壇の作成を容易に行うことができるとともに、雑草や芝等の根切り効果を十分得ることができ、雑草や芝等の侵入を効果的に防止することが可能な花壇用エッジ部材を提供することができる。
【図面の簡単な説明】
【００１３】
【図１】本発明の実施の形態１に係る花壇用エッジ部材を示す斜視構成図である。
【図２】本発明の実施の形態１に係る花壇用エッジ部材を示す断面構成図である。
【図３】本発明の実施の形態１に係る花壇用エッジ部材の使用状態を示す斜視構成図である。
【図４】花壇用エッジ部材の空間の機能を示す説明図である
【図５】本発明の実施の形態１に係る花壇用エッジ部材の使用状態を示す斜視構成図である。
【図６】本発明の実施の形態１に係る花壇用エッジ部材を用いて製作された花壇を示す斜視構成図である。
【図７】本発明の実施の形態１に係る花壇用エッジ部材を用いて製作された花壇の要部を示す斜視構成図である。
【図８】本発明の実施の形態１に係る花壇用エッジ部材によるエッジ部の機能を示す説明図である。
【図９】従来の花壇用エッジ部材を示す斜視構成図である。
【図１０】従来の花壇用エッジ部材を示す斜視構成図である。
【図１１】従来の花壇用エッジ部材を示す斜視構成図である。
【発明を実施するための形態】
【００１４】
以下に、本発明を実施するための形態（以下、「実施の形態」という）について図面を参照しながら説明する。
【００１５】
実施の形態１
図１及び図２は、本発明の実施の形態１に係る花壇用エッジ部材を示す斜視構成図及び断面図である。
【００１６】
この花壇用エッジ部材１は、図１及び図２に示すように、所定の厚さＴを有する中空の平板状に形成された部材からなる。上記花壇用エッジ部材１は、互いに平行に所定の間隔を隔てて対向するように配置された一対の平板状部材２、３と、一対の平板状部材２、３と交差（直交）する方向に一体的に形成され、一対の平板状部材２、３を互いに連結する平板状の複数の連結部材４とを備え、これにより、一対の平板状部材２、３の間に形成される空間５を、両端が開口した複数の領域６に区画すると共に、前記一対の平板状部材２、３を互いに連結している。尚、上記連結部材４は、花壇用エッジ部材１の全体にわたって配置されている。又、上記複数の連結部材４は、互いに平行に配置されているが、これらの複数の連結部材４は、後述するように、花壇用エッジ部材１の埋設方向に沿って配置されていれば良く、必ずしも互いに平行に配置されている必要はない。
【００１７】
尚、複数の領域６は、その上端が一体的に或いは別部材により、完全に或いは部分的に閉塞されていてもよい。
【００１８】
上記花壇用エッジ部材１のサイズは任意に設定可能であるが、例えば、厚さＴが１０〜２０ｍｍ程度、高さＨが１５０〜２００ｍｍ程度に設定され、幅Ｗが１００〜１５０ｍｍ程度に設定される。但し、上記花壇用エッジ部材１のサイズは、これらの値に限定されるものではなく、任意に設定可能であり、又、定型サイズの花壇用エッジ部材１を任意のサイズに切断したり、予め異なった定型サイズに形成された花壇用エッジ部材１を複数設けておいてもよい。
【００１９】
上記複数の連結部材４によって区画された複数の領域６は、図３に示すように、その下端に位置する埋設部１ａにおいて、その開口部からを土や土砂等（以下、単に「土」という）８からなる地面ＧＬに圧入する際に、図４に示すように、複数の領域６内に土が圧縮されつつ嵌入し、Ａ方向を除き、周囲の平板状部材２、３及び連結部材４によって囲まれた領域６内の土８ａに作用する、Ｂ方向からの圧縮力、及び、Ｃ方向、Ｄ方向、Ｅ方向、Ｆ方向の４方向からの圧縮力によって、当該領域６内に位置する土８ａを圧縮して固めることにより（固化機能）、更には、埋設部１ａにおいて平板状部材２、３及び連結部材４に対して周囲の土による押圧力が作用することによって、前記領域において立設状態で保持する機能を果たしている。
【００２０】
又、図３に示すように、上記複数の連結部材４によって区画された複数の領域６は、上下方向（埋設方向）に沿って貫通しているので、上記空間５の上端を開口部９としておけば、液体状や粒状などの園芸用薬剤１０、例えば除草剤を注入又は投入する部分として使用することができる。
【００２１】
上記花壇用エッジ部材１は、例えば、カーボン等を添加剤として加えたＰＰ（ポリプロピレン）等の熱可塑性を有する合成樹脂からなり、射出成形等によって一体的に製造される、プラスチックダンボールとして市販のものをそのまま、或いは適宜に切断等して使用することもできる。
【００２２】
以上の構成において、この実施の形態に係る花壇用エッジ部材では、次のようにして、花壇のエッジ部の作成を容易に行うことができると共に、雑草や芝等の根切り効果を十分得ることができ、雑草や芝等の侵入を効果的に防止することが可能となる。
【００２３】
即ち、図５に示すように、所定の大きさに裁断された花壇用エッジ部材１を、花壇１１の境界に位置する部分に、連結部材４が地面と略直交する方向を向くように立設させた状態で手で保持し、花壇用エッジ部材１の上端縁を木製やプラスチック製のハンマー１２によって打ち込むことにより、花壇用エッジ部材１の下端部に位置する埋設部１ａを地中に圧入する。その際、花壇用エッジ部材１の埋設部１ａを地中に埋設する深さは、任意であるが、雑草や芝等の根切り効果を考慮すると、５０〜１００ｍｍであることが望ましい。但し、これら以外の値であっても勿論よい。
【００２４】
上記花壇用エッジ部材１は、同様にして、花壇１１を形成する領域の全周にわたって隙間なく配置される。円形状や楕円形状などの花壇を作成する際には、図６に示すように、所定の長さに切断された花壇用エッジ部材１を、円形状や楕円形状などの所望形状の花壇１１の境界部に順次埋設していけばよい。又、矩形状の花壇１１を作成する際には、図７に示すように、花壇用エッジ部材１を所定の長さに切断すると共に、対向する角部１２に位置する平板状部材２又は３を所定の長さＬ１、Ｌ２だけ園芸用の鋏などによって切断することで、角部１２に隙間が生じないように埋設するのが望ましい。尚、図では、一方（図中、右側）の花壇用エッジ部材１が埋設途中の状態を示している。
【００２５】
上記花壇用エッジ部材１を地中に圧入することにより、図３及び図４により説明したように、平板状部材２、３及び連結部材４によって囲まれた領域６内の土８ａに作用する、Ｂ方向からの圧縮力、及び、Ｃ方向、Ｄ方向、Ｅ方向、Ｆ方向の４方向からの圧縮力によって、当該領域６内に位置する土８を圧縮して固めることにより（固化機能）、更には、埋設部１ａにおいて平板状部材２、３及び連結部材４に対して周囲の土による押圧力が作用することによって、花壇用エッジ部材１を前記領域６において立設状態で保持する機能を果たしている。
【００２６】
又、図８に示すように、花壇１１の領域の外側又は内側に生えている雑草２０の根２１が、花壇用エッジ部材１の平板状部材２、３及び連結部材４により切断され、花壇１１の領域内に伸びるのを阻止することができる。又、花壇用エッジ部材１は、２枚の平板状部材２、３及び連結部材４を有しているため、花壇１１の内側へと伸びる雑草２０の根２１を複数個所において確実に切断することが可能である。
【００２７】
更に、図３に示すように、上記花壇用エッジ部材１に、一対の平板状部材２、３の間に連結部材４によって仕切られた空間６の上端に位置する開口部９から、除草剤等の園芸用薬剤１０を注入すれば、除草剤等の園芸用薬剤１０が領域６内に位置する土８ａに吸着することになる。
【００２８】
ここで、上記花壇用エッジ部材１の平板状部材２、３及び連結部材４間の空間６内に位置する土８は、図４に示すように、花壇用エッジ部材１の圧入時に圧縮されて固化されているため、空間６の上端部に位置する開口部９から注入等される園芸用薬剤１０としての除草剤を、領域６内に位置する土８ａ中に長時間に亘って貯留させることができ、除草剤の効果を一層高めることができる。
【００２９】
尚、雨の多い季節や地域においては、空間６の上端部に位置する開口部９を熱溶融する等して、完全に或いは部分的に閉塞してもよく、或いは、適宜のフィルター部材を開口部９に適用してもよい。
【００３０】
このように、上記実施の形態１に係る花壇用エッジ部材１を、カーボン等を添加剤として加えたＰＰ（ポリプロピレン）等の熱可塑性を有する合成樹脂から形成すれば、軽量であり、運搬や設置等の取扱いが容易なものとすることができる。
【００３１】
又、花壇用エッジ部材１は、図１及び２に示すように、互いに対向するように配置された一対の平板状部材２、３及び連結部材４を有しており、花壇用エッジ部材１を地中に打ち込む際に、一対の平板状部材２、３及び連結部材４によって十分な根切り効果を得ることができる。
【００３２】
更に、花壇用エッジ部材１は、図５に示すように、地中に打ち込むことによって、平板状部材２、３及び連結部材４間の空間６内に位置する土８ａを圧縮することができ、当該圧縮された土８ａ及び周囲の土８により、花壇用エッジ部材１が前記領域６において立設状態で保持されるようになっている。
【００３３】
又、開口部９から除草剤等の園芸用薬剤１０を注入等すれば、当該園芸用薬剤１０が圧縮された土８ａ中に貯留するために、地中に浸透することを遅延させることができ、長期間にわたって除草効果を得ることができる。
【００３４】
又、園芸用薬剤１０としては、雑草や芝等の他の植物が存在しない領域であれば、花壇１１内部に植えられた植物を育成するために、液体状又は粉末状の肥料を注入するようにしてもよい。
【符号の説明】
【００３５】
１：花壇用エッジ部材、２、３：平板状部材、４：連結部材、６：空間
【図１】
2014003916.tif 000003
【図２】
2014003916.tif 000004
【図３】
2014003916.tif 000005
【図４】
2014003916.tif 000006
【図５】
2014003916.tif 000007
【図６】
2014003916.tif 000008
【図７】
2014003916.tif 000009
【図８】
2014003916.tif 000010
【図９】
2014003916.tif 000011
【図１０】
2014003916.tif 000012
【図１１】
2014003916.tif 000013